(57)【要約】【課題】温風暖房機の外観を低下させることなく温風の吹出し方向を下方に向けることができる温風暖房機のルーバを提供する。【解決手段】温風暖房機１の温風吹出口５に設けられるルーバ７を、温風吹出口５に対して水平方向に延びる下片８と、下片８の後縁に連設されて本体２に連結する連結片９，１０と、下片８の前縁において下片８の上面側に折り返され、後縁が下降する方向に傾斜する上片１５とにより構成する。更に、温風吹出口５に対向する位置の下片８に、下片８の後縁が上昇する方向に傾斜させた傾斜部１８を設ける。【選択図】図３
2004233018.tif 000002
【特許請求の範囲】
【請求項１】
熱源を収容する本体の前面側に形成された温風吹出口に設けられ、該本体内部に備えるファンにより強制的に温風吹出口から吹出された温風の風向を制御するルーバにおいて、
前記温風吹出口に対して水平方向に延びる下片と、前記温風吹出口の両側に位置して前記下片の後縁に連設され、該下片を前記本体に連結する連結片と、前記下片の前縁において該下片の上面側に折り返され、後縁が下降する方向に傾斜する上片とを備えてなり、
少なくとも前記温風吹出口に対向する位置の前記下片に、該下片の後縁が上昇する方向に所定角度傾斜させた傾斜部を設けたことを特徴とする温風暖房機のルーバ。
【請求項２】
前記下片に、該下片の後縁から前縁に向って延びる一対の切り込みを少なくとも前記温風吹出口の幅寸法と同じ間隔を存して形成し、
両切り込みの間の下片を、その前縁又は前縁近傍を介して上方に折り曲げて前記傾斜部を形成したことを特徴とする請求項１記載の温風暖房機のルーバ。
【発明の詳細な説明】
【０００１】
【発明の属する技術分野】
本発明は、温風暖房機の温風吹出口に設けられて温風の風向を制御するルーバに関する。
【０００２】
【従来の技術】
一般にこの種の温風暖房機においては、床面方向に温風を吹出して部屋内上下の温度差を小とすることが行なわれている。即ち、温風暖房機本体の前面側に温風吹出口を設け、更に、温風吹出口にルーバを設けることによって温風の吹出し方向を制御している。この種のルーバにおいては、ルーバ全長にわたって先端が下方に向くように傾斜されて取り付けられており、床面方向に温風を案内するようになっている（例えば、特許文献１参照）。
【０００３】
しかし、ルーバの先端が下方に向くように傾斜していると、ルーバの上面側が比較的目立つ状態となるだけでなく、目線が比較的高くてもルーバの後縁が見える場合も生じ、温風暖房機の外観を著しく損ねる不都合がある。
【０００４】
【特許文献１】
特開２００２−１６８５２８号公報（第１図、第２図）
【０００５】
【発明が解決しようとする課題】
かかる不都合を解消して、本発明は、温風暖房機の外観を低下させることなく温風の吹出し方向を下方に向けることができる温風暖房機のルーバを提供することを目的とする。
【０００６】
【課題を解決するための手段】
かかる目的を達成するために、本発明は、熱源を収容する本体の前面側に形成された温風吹出口に設けられ、該本体内部に備えるファンにより強制的に温風吹出口から吹出された温風の風向を制御するルーバにおいて、前記温風吹出口に対して水平方向に延びる下片と、前記温風吹出口の両側に位置して前記下片の後縁に連設され、該下片を前記本体に連結する連結片と、前記下片の前縁において該下片の上面側に折り返され、後縁が下降する方向に傾斜する上片とを備えてなり、少なくとも前記温風吹出口に対向する位置の前記下片に、該下片の後縁が上昇する方向に所定角度傾斜させた傾斜部を設けたことを特徴とする。
【０００７】
本発明によれば、前記温風吹出口に対向する位置では、前記上片がその後縁が下降する方向に傾斜されている一方、前記下片においては前記傾斜部によってその後縁が上昇する方向に所定角度に傾斜されている。
【０００８】
これにより、前記上片はその傾斜により前縁が後縁より高い位置にあるので、比較的高い位置から見下ろしても上片の上面が見え難い。従って、上片を上部に備えることでルーバの上面を目立たなくすることができる。しかも、前記温風吹出口から吹出された温風は、前記下片の下面に接して該下片の前縁が後縁より低い位置にある傾斜部に沿って床面に向うように案内される。このように、本発明によれば、ルーバの上面が目立たないので、温風暖房機の外観を低下させることなく温風の吹出し方向を下方に向けることができる。
【０００９】
本発明においては、前記下片に、該下片の後縁から前縁に向って延びる一対の切り込みを少なくとも前記温風吹出口の幅寸法と同じ間隔を存して形成し、両切り込みの間の下片を、その前縁又は前縁近傍を介して上方に折り曲げて前記傾斜部を形成したことを特徴とする。
【００１０】
前記下片の傾斜部を両切り込みの間に形成することにより、該傾斜部を、該傾斜部以外の水平部分から確実に分離させて折り曲げることができ、該傾斜部を容易に形成することができる。
【００１１】
【発明の実施の形態】
本発明の一実施形態を図面に基づいて説明する。図１は本実施形態のルーバを備える温風暖房機の正面図、図２は本実施形態のルーバの説明的正面図、図３は本実施形態のルーバの説明的平面図、図４は本実施形態のルーバの説明的底面図図５は本実施形態のルーバの説明的側面図、図６は図２のＶＩ−ＶＩ線断面説明図、図７はルーバーの一部を示す説明図、図８はルーバーの作用を示す説明図である。
【００１２】
本実施形態における温風暖房機１は、図１に示すように、その本体２の前面パネル３の下方位置にパネル開口部４を備えている。該パネル開口部４は、その一部に温風吹出口５を備え、それ以外の部分においては閉塞板６により閉塞されている。本体２の内部には、図示しないが、ガスバーナ等の熱源及び熱源の熱による温風を生成して温風吹出口５から吹出させるファンが設けられている。
【００１３】
前記パネル開口部４には、複数のルーバ７が上下方向に所定間隔を存して配設されている。該ルーバ７は、図２及び図３に示すように、左右方向に延びる板状部材により形成され、図４に示すように、水平方向に張り出す下片８を備えている。該下片８の一端部の後縁には、下方に折り曲げ形成された第１連結片９が連設されており、該下片８の他端部の後縁には、下方に折り曲げ形成された第２連結片１０が連設されている。第１連結片９には、図２に示すように、ネジ穴が形成されており、該ネジ穴を介して温風吹出口５の外縁部の片側（図中左側）に、ネジ１１によって連結支持される。第２連結片１０には、複数の係止穴１２が形成されており、前記閉塞板６に切り起して形成された係止爪１３を該係止穴１２に貫通させた後、該係止爪１３を折り曲げることによって閉塞板６に連結支持される。
【００１４】
また、図５に示すように、該ルーバ７の下片８の上部には、該下片８の前縁の折返し部１４を介して折返し形成された上片１５が連設されている。該上片１５は、その前縁（折返し部１４側）から後縁にかけて次第に下降する方向に傾斜して形成されている。
【００１５】
該ルーバ７は、図３に示すように、温風吹出口５に対向する部分に、温風を案内する案内部１６が形成されている。該案内部１６の両端部に位置する下片８には、一対の切り込み１７が形成されている。そして、両切り込み１７の間の案内部１６に位置する下片８には、図６に示すように、その前縁（折返し部１４側）から後縁にかけて次第に上昇する方向に傾斜する傾斜部１８が形成されている。
本実施形態においては、該傾斜部１８は、下片８における案内部１６以外の水平部分に対して約７°の傾きを有して傾斜されている。
【００１６】
このように、温風吹出口５に対向する案内部１６の両端部に一対の切り込み１７を設けて、両切り込み１７間の下片８に傾斜部１８を設けたので、図７に天地を逆にして一部を示すように、下片８における案内部１６以外の水平部分から案内部１６の下片８のみを分離させて、両切り込み１７を介して下片８を傾斜させた傾斜部１８を形成する加工が容易に行なえる。他方、前記上片１５は、ルーバ７の全長にわたって略同じ角度に傾斜された状態が維持される。
【００１７】
このように形成されたルーバ７によれば、図８に模式的に示すように、温風吹出口５に対向する案内部１６に形成された下片８の傾斜部１８により、温風吹出口５から吹出す温風を床面方向に向けて制御することができる。しかも、前記傾斜部１８を設けたことにより、ルーバ７全体を下方に傾斜させることなく、前記パネル開口部４に取り付けることができ、更に、上片１５の前縁から後縁にかけて次第に下降する傾斜を維持できるので、高い位置からの目線であってもルーバ７の上面側（上片１５の上面）が見え難く、外観の低下を防止することができる。
【００１８】
また、折返し部１４を前面パネル３に沿った鉛直面に維持することができるので、ルーバ７全体を下方に向けて傾斜させた場合のように折返し部１４の前面が前方に傾いて折返し部１４の上縁が前面パネル３の鉛直面から突出する不具合がなく、外観の低下を防止することができる。
【図面の簡単な説明】
【図１】本発明の一実施形態のルーバを備える温風暖房機の正面図。
【図２】本実施形態のルーバの説明的正面図。
【図３】本実施形態のルーバの説明的平面図。
【図４】本実施形態のルーバの説明的底面図。
【図５】本実施形態のルーバの説明的側面図。
【図６】図２のＶＩ−ＶＩ線断面説明図。
【図７】ルーバーの一部を示す説明図。
【図８】ルーバーの作用を示す説明図。
【符号の説明】
１…温風暖房機、２…本体、５…温風吹出口、７…ルーバ、８…下片、９，１０…連結片、１５…上片、１７…切り込み、１８…傾斜部。
【図１】
2004233018.tif 000003
【図２】
2004233018.tif 000004
【図３】
2004233018.tif 000005
【図４】
2004233018.tif 000006
【図５】
2004233018.tif 000007
【図６】
2004233018.tif 000008
【図７】
2004233018.tif 000009
【図８】
2004233018.tif 000010